【手続補正書】
【提出日】平成29年7月6日(2017.7.6)
【手続補正１】
【補正対象書類名】特許請求の範囲
【補正対象項目名】全文
【補正方法】変更
【補正の内容】
【特許請求の範囲】
【請求項１】
カメラにより撮像された画像データであって所定の録画条件を満たす場合に撮像された画像データを取得する取得手段と、
前記取得手段により取得された画像データの表示を制御する表示制御手段と、
を備え、
前記表示制御手段は、前記画像データを取得した時間帯をタイムラインに識別可能に表示し、前記タイムラインに前記画像データを録画した録画条件を表示するように制御することを特徴とする情報処理装置。
【請求項２】
前記表示制御手段は、前記画像データを録画する複数の録画条件のいずれか一つに合致した録画条件をタイムラインに表示するように制御することを特徴とする請求項１に記載の情報処理装置。
【請求項３】
前記画像データを録画する複数の録画条件と、前記画像データを送信する情報処理装置を示す送信先情報とを対応付けて記憶している記憶手段と、
当該録画条件を満たした画像データを録画し、当該録画された画像データと、当該画像データを録画した録画条件と、前記送信先情報とを受信する受信手段を更に備え、
前記受信手段より受信したものを前記表示制御手段により表示するように制御することを特徴とする請求項１または２に記載の情報処理装置。
【請求項４】
前記カメラは、前記画像データを録画する複数の録画条件と、前記画像データを送信する情報処理装置を示す送信先情報とを対応付けて記憶しており、当該録画条件を満たした画像データを録画し、当該録画された画像データと、当該画像データを録画した録画条件と、前記送信先情報とを受信する受信手段を更に備え、
前記受信手段より受信したものを前記表示制御手段により表示するように制御することを特徴とする請求項１または２に記載の情報処理装置。
【請求項５】
前記画像データを前記情報処理装置に表示するべく送信した送信履歴を管理する送信履歴管理手段と、
前記記憶された送信履歴に従って、前記情報処理装置に、前記カメラにより撮影された画像データを送信したか否かを判定する判定手段と、
を更に備え、
前記表示制御手段は、前記判定手段の判定結果に従って、前記情報処理装置に送信済みの画像データと、前記情報処理装置に未送信の画像データとを識別可能に表示するタイムラインの表示を含む表示画面を表示するように制御することを特徴とする請求項３または４に記載の情報処理装置。
【請求項６】
前記送信履歴管理手段で管理される送信履歴には、他の情報処理装置への送信履歴を含み、
前記判定手段は、さらに当該他の情報処理装置に、前記カメラにより撮影された画像データを送信したか否かを判定し、
前記表示制御手段は、前記判定手段による判定結果に従って、前記情報処理装置に送信済みの画像データと、前記情報処理装置に未送信の画像データと、前記他の情報処理装置に送信済みの画像データとをそれぞれ識別可能に表示するように制御することを特徴とする請求項５に記載の情報処理装置。
【請求項７】
前記画像データにはフレーム画像と静止画が含まれており、前記情報処理装置はフレーム画像と静止画を表示する表示領域を備え、
ユーザの操作に従って、前記タイムラインにより画像データが撮影された時間が識別表示された領域に対して、当該時間に撮影された静止画の表示指示を受け付ける受付手段を更に備え、
前記表示制御手段は、前記受付手段により表示指示を受け付けた静止画を、前記表示画面に含まれる、前記フレーム画像を表示する表示領域に表示するべく表示制御することを特徴とする請求項５または６に記載の情報処理装置。
【請求項８】
前記表示制御手段は、前記表示領域に前記カメラによる前記フレーム画像を表示するように制御し、前記表示制御手段により前記表示領域に前記フレーム画像が表示している間に前記録画条件を満たした場合には、前記録画条件を満たしていることを通知する通知手段を備えることを特徴とする請求項７に記載の情報処理装置。
【請求項９】
前記表示制御手段は、更に、前記カメラによる撮像結果として他のユーザが表示済みの前記フレーム画像を取得した時間帯を前記タイムラインに識別可能に表示するように制御することを特徴とする請求項７または８に記載の情報処理装置。
【請求項１０】
情報処理装置の制御方法であって、
カメラにより撮像された画像データであって所定の録画条件を満たす場合に撮像された画像データを取得する取得工程と、
前記取得工程により取得された画像データの表示を制御する表示制御工程と、
を備え、
前記表示制御工程は、前記画像データを取得した時間帯をタイムラインに識別可能に表示し、前記タイムラインに前記画像データを録画した録画条件を表示するように制御することを特徴とする制御方法。
【請求項１１】
情報処理装置で読み取り実行可能なプログラムであって、
前記情報処理装置を、
カメラにより撮像された画像データであって所定の録画条件を満たす場合に撮像された画像データを取得する取得手段と、
前記取得手段により取得された画像データの表示を制御する表示制御手段と、
して機能させ、
前記表示制御手段は、前記画像データを取得した時間帯をタイムラインに識別可能に表示し、前記タイムラインに前記画像データを録画した録画条件を表示するように制御することを特徴とするプログラム。
【手続補正２】
【補正対象書類名】明細書
【補正対象項目名】発明の名称
【補正方法】変更
【補正の内容】
【発明の名称】情報処理装置、情報処理装置の制御方法及びプログラム
【手続補正３】
【補正対象書類名】明細書
【補正対象項目名】０００１
【補正方法】変更
【補正の内容】
【０００１】
本発明は、情報処理装置、情報処理装置の制御方法及びプログラムに関し、特に、所定の録画条件を満たす場合に撮像された画像データを取得した時間帯をタイムラインに識別可能に表示し、ユーザが確認すべき画像を特定し易くするための技術に関するものである。
【手続補正４】
【補正対象書類名】明細書
【補正対象項目名】００１５
【補正方法】変更
【補正の内容】
【００１５】
本発明は、所定の録画条件を満たす場合に撮像された画像データを取得した時間帯をタイムラインに識別可能に表示し、ユーザが確認すべき画像を特定し易くするための仕組みを提供することを目的とする。
【手続補正５】
【補正対象書類名】明細書
【補正対象項目名】００１６
【補正方法】変更
【補正の内容】
【００１６】
本発明は、カメラにより撮像された画像データであって所定の録画条件を満たす場合に撮像された画像データを取得する取得手段と、前記取得手段により取得された画像データの表示を制御する表示制御手段と、を備え、前記表示制御手段は、前記画像データを取得した時間帯をタイムラインに識別可能に表示し、前記タイムラインに前記画像データを録画した録画条件を表示するように制御することを特徴とする。
【手続補正６】
【補正対象書類名】明細書
【補正対象項目名】００１７
【補正方法】変更
【補正の内容】
【００１７】
また、本発明は、情報処理装置の制御方法であって、カメラにより撮像された画像データであって所定の録画条件を満たす場合に撮像された画像データを取得する取得工程と、前記取得工程により取得された画像データの表示を制御する表示制御工程と、を備え、前記表示制御工程は、前記画像データを取得した時間帯をタイムラインに識別可能に表示し、前記タイムラインに前記画像データを録画した録画条件を表示するように制御することを特徴とする。
【手続補正７】
【補正対象書類名】明細書
【補正対象項目名】００１８
【補正方法】変更
【補正の内容】
【００１８】
また、本発明は、情報処理装置で読み取り実行可能なプログラムであって、前記情報処理装置を、カメラにより撮像された画像データであって所定の録画条件を満たす場合に撮像された画像データを取得する取得手段と、前記取得手段により取得された画像データの表示を制御する表示制御手段と、して機能させ、前記表示制御手段は、前記画像データを取得した時間帯をタイムラインに識別可能に表示し、前記タイムラインに前記画像データを録画した録画条件を表示するように制御することを特徴とする。
【手続補正８】
【補正対象書類名】明細書
【補正対象項目名】００１９
【補正方法】変更
【補正の内容】
【００１９】
本発明によれば、所定の録画条件を満たす場合に撮像された画像データを取得した時間帯をタイムラインに識別可能に表示し、ユーザが確認すべき画像を特定し易くすることができる。